(57)【特許請求の範囲】
【請求項１】
基地局であって、前記基地局は、
第１の送信構成を決定するように構成された、プロセッサであって、前記第１の送信構成は、送信パラメータのグループと、送信パラメータの前記グループを使用するための時点とを含み、送信パラメータの前記グループは、共通メッセージを送信するために使用される１つまたは複数の狭帯域のロケーション、ならびに前記共通メッセージを送信するために使用される制御チャネルスケジューリングインジケーションを含み、前記制御チャネルスケジューリングインジケーションは、制御チャネルを使用して、前記共通メッセージをスケジュールおよび送信するかどうかを示すために使用され、前記制御チャネルが前記共通メッセージを送信しようとするときに、前記制御チャネルスケジューリングインジケーションがポジティブであり、かつ、前記制御チャネルが前記共通メッセージを送信しようとしないときに、前記制御チャネルスケジューリングインジケーションがネガティブであるように構成された、プロセッサと、
前記制御チャネルスケジューリングインジケーションがポジティブであるとき、送信パラメータの前記グループを使用するための前記時点に従って、前記共通メッセージを前記１つまたは複数の狭帯域内で目標マシンタイプ通信（ＭＴＣ）デバイスに送信し、かつ、
前記制御チャネルスケジューリングインジケーションがネガティブであるとき、前記制御チャネルを使用せずに、前記１つまたは複数の狭帯域内で前記目標デバイスに前記共通メッセージを送信するように構成された、送受信機回路と
を備える基地局。
【請求項２】
前記送受信機回路は、前記目標ＭＴＣデバイスが、前記第１の送信構成に従って、前記共通メッセージを受信するように、前記第１の送信構成を前記目標ＭＴＣデバイスに送信するようにさらに構成される請求項１に記載の基地局。
【請求項３】
前記プロセッサは、第１の時間粒度に従って、前記目標ＭＴＣデバイスの関連情報についての統計を収集するようにさらに構成され、
前記プロセッサは、統計結果に従って、前記第１の送信構成を決定するように構成される
請求項１に記載の基地局。
【請求項４】
マシンタイプ通信（ＭＴＣ）デバイスであって、前記ＭＴＣデバイスは、
第１の送信構成を決定するように構成された、プロセッサであって、前記第１の送信構成は、送信パラメータのグループと、送信パラメータの前記グループを使用するための時点とを含み、送信パラメータの前記グループは、共通メッセージを送信するために使用される前記共通メッセージを送信するために使用される１つまたは複数の狭帯域のロケーション、ならびに前記共通メッセージを送信するために使用される制御チャネルスケジューリングインジケーションを含み、前記制御チャネルスケジューリングインジケーションは、制御チャネルが使用されて、前記共通メッセージをスケジュールおよび送信するかどうかを示すために使用され、前記制御チャネルが前記共通メッセージを送信しようとするときに、前記制御チャネルスケジューリングインジケーションがポジティブであり、かつ、前記制御チャネルが前記共通メッセージを送信しようとしないときに、前記制御チャネルスケジューリングインジケーションがネガティブであるように構成された、プロセッサと、
基地局によって送信された前記共通メッセージを、前記制御チャネルスケジューリングインジケーションがポジティブであるとき、送信パラメータの前記グループを使用するための前記時点に従って、前記１つまたは複数の狭帯域内で受信し、かつ、
前記制御チャネルスケジューリングインジケーションがネガティブであるとき、前記制御チャネルを使用せずに、前記１つまたは複数の狭帯域内で前記基地局によって送信された前記共通メッセージを受信するように構成された、送受信機回路と
を備えるマシンタイプ通信（ＭＴＣ）デバイス。
【請求項５】
前記送受信機回路は、前記基地局から前記第１の送信構成を受信するようにさらに構成される請求項４に記載のデバイス。
【請求項６】
前記制御チャネルスケジューリングインジケーションがポジティブであるとき、前記送受信機回路が、送信パラメータの前記グループを使用するための前記時点に従って、前記制御チャネルを使用することによって、前記共通メッセージを前記基地局から受信するように構成される請求項４に記載のデバイス。
【請求項７】
共通メッセージを送信するための方法であって、前記方法は、
第１の送信構成を、基地局によって、決定するステップであって、前記第１の送信構成は、送信パラメータのグループと、送信パラメータの前記グループを使用するための時点とを含み、送信パラメータの前記グループは、共通メッセージを送信するために使用される前記共通メッセージを送信するために使用される１つまたは複数の狭帯域のロケーション、ならびに前記共通メッセージを送信するために使用される制御チャネルスケジューリングインジケーションを含み、前記制御チャネルスケジューリングインジケーションは、制御チャネルを使用して、前記共通メッセージをスケジュールおよび送信するかどうかを示すために使用され、前記制御チャネルが前記共通メッセージを送信しようとするときに、前記制御チャネルスケジューリングインジケーションがポジティブであり、かつ、前記制御チャネルが前記共通メッセージを送信しようとしないときに、前記制御チャネルスケジューリングインジケーションがネガティブである、ステップと、
前記制御チャネルスケジューリングインジケーションがポジティブであるとき、送信パラメータの前記グループを使用するための前記時点に従って、前記１つまたは複数の狭帯域内で前記共通メッセージを目標マシンタイプ通信（ＭＴＣ）デバイスに、前記基地局によって、送信し、かつ、
前記制御チャネルスケジューリングインジケーションがネガティブであるとき、前記制御チャネルを使用せずに、前記１つまたは複数の狭帯域内で前記目標デバイスに前記共通メッセージを送信するステップと
を含む方法。
【請求項８】
前記方法は、前記目標ＭＴＣデバイスが、前記第１の送信構成に従って、前記共通メッセージを受信するように、前記第１の送信構成を前記目標ＭＴＣデバイスに、前記基地局によって、送信するステップをさらに含む請求項７に記載の方法。
【請求項９】
第１の送信構成を、基地局によって、決定する前記ステップの前に、前記方法は、
第１の時間粒度に従って、前記目標ＭＴＣデバイスの関連情報についての統計を、前記基地局によって、収集するステップをさらに含み、
第１の送信構成を、基地局によって、決定する前記ステップは、
統計結果に従って、前記第１の送信構成を、前記基地局によって、決定するステップ
を含む
請求項７に記載の方法。
【請求項１０】
マシンタイプ通信（ＭＴＣ）デバイスによる共通メッセージを送信するための方法であって、前記方法は、
第１の送信構成を、前記ＭＴＣデバイスによって、決定するステップ
であって、前記第１の送信構成は、送信パラメータのグループと、送信パラメータの前記グループを使用するための時点とを含み、送信パラメータの前記グループは、共通メッセージを送信するために使用される狭帯域の量、前記共通メッセージを送信するために使用される１つまたは複数の狭帯域のロケーション、ならびに前記共通メッセージを送信するために使用される制御チャネルスケジューリングインジケーションを含み、前記制御チャネルスケジューリングインジケーションは、制御チャネルが使用されて、前記共通メッセージをスケジュールおよび送信するかどうかを示すために使用され、前記制御チャネルが前記共通メッセージを送信しようとするときに、前記制御チャネルスケジューリングインジケーションがポジティブであり、かつ、前記制御チャネルが前記共通メッセージを送信しようとしないときに、前記制御チャネルスケジューリングインジケーションがネガティブである、ステップと、
基地局によって送信された前記共通メッセージを、前記制御チャネルスケジューリングインジケーションがポジティブであるとき、送信パラメータの前記グループを使用するための前記地点に従って、前記ＭＴＣデバイスによって、受信し、かつ、前記制御チャネルスケジューリングインジケーションがネガティブであるとき、前記制御チャネルを使用せずに、前記１つまたは複数の狭帯域内で前記基地局によって送信された前記共通メッセージを受信するステップと
を含む方法。
【請求項１１】
前記基地局から前記第１の送信構成を受信するステップをさらに含む請求項１０に記載の方法。
【発明の詳細な説明】
【技術分野】
【０００１】
本発明の実施形態は、通信技術の分野に関し、より具体的には、共通メッセージを送信するための方法および関連デバイスに関する。
【背景技術】
【０００２】
マシンツーマシン（英：Ｍａｃｈｉｎｅ  ｔｏ  Ｍａｃｈｉｎｅ、略してＭ２Ｍ）通信は、モバイル通信ネットワーク上において、いかにしてモノのインターネット（Ｉｎｔｅｒｎｅｔ  ｏｆ  Ｔｈｉｎｇｓ）アプリケーションを実現するかを主に研究する。Ｍ２Ｍ通信は、マシンタイプ通信（英：Ｍａｃｈｉｎｅ  Ｔｙｐｅ  Ｃｏｍｍｕｎｉｃａｔｉｏｎ、略してＭＴＣ）と呼ばれることもある。モバイル通信ネットワークは、ＭＴＣデバイスが使用されることができるように、最適化または拡張される必要がある。例えば、ＭＴＣデバイスのコストを引き下げるために、デバイス動作帯域幅が、縮小されることがあり、またはネットワークカバレージを広げるために、カバレージ拡張が、実行されることがある。デバイス動作帯域幅を縮小することに関して、ＭＴＣデバイスの動作帯域幅は、１．４ＭＨｚに制限されることがある。カバレージ拡張は、以下の通りであり、すなわち、相対的に大きい経路損失を有するデバイス（例えば、地階などの場所にあるデバイス）は、相対的に大きい経路損失を有するこのタイプのデバイスが、ネットワークにアクセスして、サービスを獲得することができるように、カバレージ拡張サポートを提供される。信号繰り返しは、拡張を実施するための方法の１つである。信号繰り返しの量は、カバレージ拡張要件に関連する。異なるＭＴＣデバイスは、異なる環境にあるので、カバレージ拡張要件は、異なる。カバレージ拡張要件の値が、カバレージ拡張レベルとして定義される場合、異なる環境にある異なるＭＴＣデバイスのカバレージ拡張レベルは、異なる。拡張を実施するために、信号繰り返しが使用される場合、異なるカバレージ拡張レベルを有するＭＴＣデバイス上において実行される必要がある信号繰り返しの量は、異なる。
【０００３】
各ランダムアクセスタイムスロットにおいてランダムアクセスを開始するＭＴＣデバイスの量は、異なるので、転送される必要があるランダムアクセス応答（英：Ｒａｎｄｏｍ  Ａｃｃｅｓｓ  Ｒｅｓｐｏｎｓｅ、略してＲＡＲ）メッセージの量は、異なる。加えて、各ページング時点においてページングが送信される必要があるＭＴＣデバイスの量も、異なる。（ページングメッセージまたはＲＡＲメッセージを含む）共通メッセージを送信するとき、基地局は、制御チャネルを使用して、共通メッセージの送信を制御しないことがある。したがって、いかにして共通メッセージを繰り返し送信するかは、解決される必要がある問題である。
【発明の概要】
【０００４】
本発明は、共通メッセージの柔軟な繰り返し送信を実施するために、共通メッセージを送信するための方法および関連デバイスを提供する。
【０００５】
第１の態様によれば、本発明の実施形態は、基地局を提供し、基地局は、第１の送信構成を決定するように構成された、プロセッサであって、第１の送信構成は、送信パラメータの少なくとも１つのグループと、送信パラメータの各グループを使用するための時点とを含み、送信パラメータの各グループは、以下のパラメータ、すなわち、共通メッセージを送信するために使用される狭帯域の量、共通メッセージを送信するために使用される狭帯域のロケーション、ならびに共通メッセージを送信するために使用される最大トランスポートブロックサイズおよび制御チャネルスケジューリングインジケーションのうちの１つまたは複数を含み、制御チャネルスケジューリングインジケーションは、制御チャネルを使用して、共通メッセージをスケジュールおよび送信するかどうかを示すために使用される、プロセッサと、第１の送信構成に従って、共通メッセージを目標マシンタイプ通信ＭＴＣデバイスに送信するように構成された、送受信機回路とを含む。
【０００６】
第１の態様を参照すると、第１の態様の第１の可能な実装形態においては、送信パラメータのうちの最大トランスポートブロックサイズは、共通メッセージ内に含まれることができるＭＴＣデバイス識別子の最大量を含む。
【０００７】
第１の態様または第１の態様の第１の可能な実装形態を参照すると、第１の態様の第２の可能な実装形態においては、送受信機回路は、目標ＭＴＣデバイスが、第１の送信構成に従って、共通メッセージを受信するように、第１の送信構成を目標ＭＴＣデバイスに送信するようにさらに構成される。
【０００８】
第１の態様または第１の態様の第１乃至第２の可能な実装形態のいずれか１つを参照すると、第１の態様の第３の可能な実装形態においては、プロセッサは、第１の時間粒度に従って、目標ＭＴＣデバイスの関連情報についての統計を収集するようにさらに構成され、プロセッサは、統計結果に従って、第１の送信構成を決定するように構成される。
【０００９】
第２の態様によれば、本発明の実施形態は、マシンタイプ通信ＭＴＣデバイスを提供し、ＭＴＣデバイスは、第１の送信構成を決定するように構成された、プロセッサであって、第１の送信構成は、送信パラメータの少なくとも１つのグループと、送信パラメータの各グループを使用するための時点とを含み、制御チャネルインジケーションが、基地局が制御チャネルを使用して、共通メッセージを送信するかどうかを示すために使用され、送信パラメータは、以下のパラメータ、すなわち、共通メッセージを送信するために基地局によって使用される狭帯域の量、共通メッセージを送信するために基地局によって使用される狭帯域のロケーション、ならびに共通メッセージを送信するために基地局によって使用される最大トランスポートブロックサイズおよび制御チャネルスケジューリングインジケーションのうちの１つまたは複数を含み、制御チャネルインジケーションは、基地局が制御チャネルを使用して、共通メッセージをスケジュールおよび送信するかどうかを示すために使用される、プロセッサと、基地局によって送信された共通メッセージを、第１の送信構成に従って、受信するように構成された、送受信機回路とを含む。
【００１０】
第２の態様を参照すると、第２の態様の第１の可能な実装形態においては、送信パラメータのうちの最大トランスポートブロックサイズは、共通メッセージ内に含まれることができるＭＴＣデバイス識別子の最大量を含む。
【００１１】
第２の態様または第２の態様の第１の可能な実装形態を参照すると、第２の態様の第２の可能な実装形態においては、プロセッサは、第１の送信構成が、基地局によって送信され、送受信機回路によって受信された第１の送信構成であると決定するように構成される。
【００１２】
第３の態様によれば、本発明の実施形態は、共通メッセージを送信するための方法を提供し、方法は、第１の送信構成を、基地局によって、決定するステップであって、第１の送信構成は、送信パラメータの少なくとも１つのグループと、送信パラメータの各グループを使用するための時点とを含み、送信パラメータの各グループは、以下のパラメータ、すなわち、共通メッセージを送信するために使用される狭帯域の量、共通メッセージを送信するために使用される狭帯域のロケーション、ならびに共通メッセージを送信するために使用される最大トランスポートブロックサイズおよび制御チャネルスケジューリングインジケーションのうちの１つまたは複数を含み、制御チャネルスケジューリングインジケーションは、制御チャネルを使用して、共通メッセージをスケジュールおよび送信するかどうかを示すために使用される、ステップと、第１の送信構成に従って、共通メッセージを目標マシンタイプ通信ＭＴＣデバイスに、基地局によって、送信するステップとを含む。
【００１３】
第３の態様を参照すると、第３の態様の第１の可能な実装形態においては、送信パラメータのうちの最大トランスポートブロックサイズは、共通メッセージ内に含まれることができるＭＴＣデバイス識別子の最大量を含む。
【００１４】
第３の態様または第３の態様の第１の可能な実装形態を参照すると、第３の態様の第２の可能な実装形態においては、方法は、目標ＭＴＣデバイスが、第１の送信構成に従って、共通メッセージを受信するように、第１の送信構成を目標ＭＴＣデバイスに、基地局によって、送信するステップをさらに含む。
【００１５】
第３の態様または第３の態様の第１乃至第２の可能な実装形態のいずれか１つを参照すると、第３の態様の第３の可能な実装形態においては、第１の送信構成を、基地局によって、決定するステップの前に、方法は、第１の時間粒度に従って、目標ＭＴＣデバイスの関連情報についての統計を、基地局によって、収集するステップをさらに含み、第１の送信構成を、基地局によって、決定するステップは、統計結果に従って、第１の送信構成を、基地局によって、決定するステップを含む。
【００１６】
第４の態様によれば、本発明の実施形態は、共通メッセージを送信するための方法を提供し、方法は、第１の送信構成を、マシンタイプ通信ＭＴＣデバイスによって、決定するステップであって、第１の送信構成は、送信パラメータの少なくとも１つのグループと、送信パラメータの各グループを使用するための時点とを含み、制御チャネルインジケーションが、基地局が制御チャネルを使用して、共通メッセージを送信するかどうかを示すために使用され、送信パラメータは、以下のパラメータ、すなわち、共通メッセージを送信するために基地局によって使用される狭帯域の量、共通メッセージを送信するために基地局によって使用される狭帯域のロケーション、ならびに共通メッセージを送信するために基地局によって使用される最大トランスポートブロックサイズおよび制御チャネルスケジューリングインジケーションのうちの１つまたは複数を含み、制御チャネルインジケーションは、基地局が制御チャネルを使用して、共通メッセージをスケジュールおよび送信するかどうかを示すために使用される、ステップと、基地局によって送信された共通メッセージを、第１の送信構成に従って、ＭＴＣデバイスによって、受信するステップとを含む。
【００１７】
第４の態様を参照すると、第４の態様の第１の可能な実装形態においては、送信パラメータのうちの最大トランスポートブロックサイズは、共通メッセージ内に含まれることができるＭＴＣデバイス識別子の最大量を含む。
【００１８】
第４の態様または第４の態様の第１の可能な実装形態を参照すると、第４の態様の第２の可能な実装形態においては、第１の送信構成を、ＭＴＣデバイスによって、決定するステップは、基地局によって送信された第１の送信構成を、ＭＴＣデバイスによって、受信するステップを含む。
【００１９】
第５の態様によれば、本発明の実施形態は、基地局を提供し、基地局は、第１の送信構成を決定するように構成された、決定ユニットであって、第１の送信構成は、送信パラメータの少なくとも１つのグループと、送信パラメータの各グループを使用するための時点とを含み、送信パラメータの各グループは、以下のパラメータ、すなわち、共通メッセージを送信するために使用される狭帯域の量、共通メッセージを送信するために使用される狭帯域のロケーション、ならびに共通メッセージを送信するために使用される最大トランスポートブロックサイズおよび制御チャネルスケジューリングインジケーションのうちの１つまたは複数を含み、制御チャネルスケジューリングインジケーションは、制御チャネルを使用して、共通メッセージを送信するかどうかを示すために使用される、決定ユニットと、第１の送信構成に従って、共通メッセージを目標マシンタイプ通信ＭＴＣデバイスに送信するように構成された、送信ユニットとを含む。
【００２０】
第５の態様を参照すると、第５の態様の第１の可能な実装形態においては、送信パラメータのうちの最大トランスポートブロックサイズは、共通メッセージ内に含まれることができるＭＴＣデバイス識別子の最大量を含む。
【００２１】
第５の態様または第１の可能な実装形態を参照すると、第５の態様の第２の可能な実装形態においては、送信ユニットは、目標ＭＴＣデバイスが、第１の送信構成に従って、共通メッセージを受信するように、第１の送信構成を目標ＭＴＣデバイスに送信するようにさらに構成される。
【００２２】
第５の態様または第１乃至第２の可能な実装形態のいずれか１つを参照すると、第５の態様の第３の可能な実装形態においては、決定ユニットは、第１の時間粒度に従って、目標ＭＴＣデバイスの関連情報についての統計を収集するようにさらに構成され、決定ユニットは、統計結果に従って、第１の送信構成を決定するように構成される。
【００２３】
第６の態様によれば、本発明の実施形態は、マシンタイプ通信ＭＴＣデバイスを提供し、ＭＴＣデバイスは、第１の送信構成を決定するように構成された、決定ユニットであって、第１の送信構成は、送信パラメータの少なくとも１つのグループと、送信パラメータの各グループを使用するための時点とを含み、制御チャネルインジケーションが、基地局が制御チャネルを使用して、共通メッセージを送信するかどうかを示すために使用され、送信パラメータは、以下のパラメータ、すなわち、共通メッセージを送信するために基地局によって使用される狭帯域の量、共通メッセージを送信するために基地局によって使用される狭帯域のロケーション、ならびに共通メッセージを送信するために基地局によって使用される最大トランスポートブロックサイズおよび制御チャネルスケジューリングインジケーションのうちの１つまたは複数を含み、制御チャネルインジケーションは、基地局が制御チャネルを使用して、共通メッセージをスケジュールおよび送信するかどうかを示すために使用される、決定ユニットと、基地局によって送信された共通メッセージを、第１の送信構成に従って、受信するように構成された、受信ユニットとを含む。
【００２４】
第６の態様を参照すると、第６の態様の第１の可能な実装形態においては、送信パラメータのうちの最大トランスポートブロックサイズは、共通メッセージ内に含まれることができるＭＴＣデバイス識別子の最大量を含む。
【００２５】
第６の態様または第６の態様の第１の可能な実装形態を参照すると、第６の態様の第２の可能な実装形態においては、決定ユニットは、第１の送信構成が、基地局によって送信され、受信ユニットによって受信された第１の送信構成であると決定するように構成される。
【００２６】
上述の技術的解決策によれば、基地局は、異なる時点において共通メッセージを送信するために使用される方式およびパラメータを決定することができる。例えば、共通メッセージを送信するために、異なる送信パラメータが、異なる時点において使用されることがある。例えば、基地局は、共通メッセージを送信するために使用される狭帯域の量、共通メッセージを送信するために使用される狭帯域のロケーション、共通メッセージを送信するための最大トランスポートブロックサイズ、または制御チャネルを使用して共通メッセージをスケジュールおよび送信するかどうかなどを決定することができる。したがって、基地局は、共通メッセージの送信を柔軟に制御することができる。
【図面の簡単な説明】
【００２７】
本発明の実施形態における技術的解決策をより明瞭に説明するために、本発明の実施形態を説明するために必要とされる添付の図面について以下で簡潔に説明する。明らかに、以下の説明における添付の図面は、本発明のいくつかの実施形態を示しているにすぎず、当業者は、創造的な努力なしに、依然として、これらの添付の図面から他の図面を導出することがある。
【００２８】
【図１】本発明の実施形態による、共通メッセージを送信するための方法の概略フローチャートである。
【図２】本発明の実施形態による、共通メッセージを送信するための方法の概略フローチャートである。
【図３】Ｍ２Ｍ通信システムの概略図である。
【図４】本発明の実施形態による、基地局の構造ブロック図である。
【図５】本発明の実施形態による、ＭＴＣデバイスの構造ブロック図である。
【図６】本発明の実施形態による、基地局の構造ブロック図である。
【図７】本発明の実施形態による、ＭＴＣデバイスの構造ブロック図である。
【発明を実施するための形態】
【００２９】
本発明の実施形態における添付の図面を参照して、本発明の実施形態における技術的ソリューションを以下で明瞭かつ完全に説明する。明らかに、説明される実施形態は、本発明の実施形態の一部であるにすぎず、全部というわけではない。創造的な努力なしに、本発明の実施形態に基づいて、当業者によって獲得される他のすべての実施形態は、本発明の保護範囲内に包含されるものとする。
【００３０】
本発明の実施形態における技術的解決策は、Ｍ２Ｍ通信（またはＭＴＣと呼ばれる）に適用されることがあることが理解されるべきである。Ｍ２Ｍ通信は、汎欧州デジタル移動電話（Ｇｌｏｂａｌ  Ｓｙｓｔｅｍ  ｆｏｒ  Ｍｏｂｉｌｅ  ｃｏｍｍｕｎｉｃａｔｉｏｎ、略して「ＧＳＭ」）、符号分割多重アクセス（Ｃｏｄｅ  Ｄｉｖｉｓｉｏｎ  Ｍｕｌｔｉｐｌｅ  Ａｃｃｅｓｓ、略して「ＣＤＭＡ」）システム、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、略して「ＷＣＤＭＡ」）システム、汎用パケット無線サービス（Ｇｅｎｅｒａｌ  Ｐａｃｋｅｔ  Ｒａｄｉｏ  Ｓｅｒｖｉｃｅ、略して「ＧＰＲＳ」）、ロングタームエボリューション（Ｌｏｎｇ  Ｔｅｒｍ  Ｅｖｏｌｕｔｉｏｎ、略して「ＬＴＥ」）システム、ＬＴＥ周波数分割双方向（Ｆｒｅｑｕｅｎｃｙ  Ｄｉｖｉｓｉｏｎ  Ｄｕｐｌｅｘ、略して「ＦＤＤ」）システム、ＬＴＥ時分割双方向（Ｔｉｍｅ  Ｄｉｖｉｓｉｏｎ  Ｄｕｐｌｅｘ、略して「ＴＤＤ」）システム、およびユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略して「ＵＭＴＳ」）など、様々な通信システムにおいて実現されることがある。
【００３１】
ＭＴＣデバイスは、ユーザ機器と呼ばれることもある。ＭＴＣデバイスは、固定されたロケーションにおける固定デバイスであることがあり、またはモバイルデバイスであることがある。ＭＴＣデバイスは、無線アクセスネットワーク（例えば、Ｒａｄｉｏ  Ａｃｃｅｓｓ  Ｎｅｔｗｏｒｋ、ＲＡＮ）を使用することによって、１つまたは複数のコアネットワークと通信することがある。
【００３２】
基地局は、ＧＳＭもしくはＣＤＭＡにおける基地局（Ｂａｓｅ  Ｔｒａｎｓｃｅｉｖｅｒ  Ｓｔａｔｉｏｎ、ＢＴＳ）であることがあり、またはＷＣＤＭＡにおけるノードＢ（ＮｏｄｅＢ）であることがあり、またはＬＴＥにおけるｅＮＢもしくはｅノードＢであることがあり、これは、本発明において限定されない。
【００３３】
図１は、本発明の実施形態による、共通メッセージを送信するための方法の概略フローチャートである。
【００３４】
１０１．基地局が、第１の送信構成を決定し、第１の送信構成は、送信パラメータの少なくとも１つのグループと、送信パラメータの各グループを使用するための時点とを含み、送信パラメータの各グループは、以下のパラメータ、すなわち、共通メッセージを送信するために使用される狭帯域の量、共通メッセージを送信するために使用される狭帯域のロケーション、ならびに共通メッセージを送信するために使用される最大トランスポートブロックサイズおよび制御チャネルスケジューリングインジケーションのうちの１つまたは複数を含み、制御チャネルスケジューリングインジケーションは、制御チャネルを使用して、共通メッセージをスケジュールおよび送信するかどうかを示すために使用される。
【００３５】
１０２．基地局が、第１の送信構成に従って、共通メッセージを目標ＭＴＣデバイスに送信する。
【００３６】
図１に示される方法によれば、基地局は、異なる時点において共通メッセージを送信するために使用される方式およびパラメータを決定することができる。例えば、異なる送信パラメータが、共通メッセージを送信するために、異なる時点において使用されることがある。例えば、基地局は、共通メッセージを送信するために使用される狭帯域の量、共通メッセージを送信するために使用される狭帯域のロケーション、共通メッセージを送信するための最大トランスポートブロックサイズ、または制御チャネルを使用して共通メッセージをスケジュールおよび送信するかどうかなどを決定することができる。したがって、基地局は、共通メッセージの送信を柔軟に制御することができる。
【００３７】
特に、第１の送信構成は、送信パラメータの少なくとも１つのグループと、送信パラメータの各グループを使用するための時点とを含む。送信パラメータのグループは、共通メッセージを送信するための各可能な時点に対して構成されることがある。例えば、送信パラメータのグループは、ページングメッセージを送信するための各時点に対して構成されることがある。代替として、デフォルト送信パラメータのグループが構成されることがあり、送信パラメータは、共通メッセージを送信するための１つまたは複数の時点に対して構成されることがある。このケースにおいては、送信パラメータが、ある時点に対して構成されていない場合、その時点において共通メッセージを送信するためにデフォルト送信パラメータが、使用される。送信パラメータが、ある時点に対して構成されている場合、その時点において共通メッセージを送信するためにその時点に対応する送信パラメータが、使用される。このケースにおいては、デフォルト送信パラメータの使用に対応する時点は、送信パラメータがそれに対して構成されていない、共通メッセージを送信するための任意の時点である。
【００３８】
特に、基地局が、第１の送信構成に従って、共通メッセージを目標ＭＴＣデバイスに送信することは、送信パラメータの各グループのうちの制御チャネルスケジューリングインジケーションが、ポジティブであるとき、基地局が、送信パラメータの各グループのうちの共通メッセージを送信するための時点に従って、制御チャネルを使用することによって、共通メッセージを目標ＭＴＣデバイスに送信すること、例えば、制御チャネルを使用することによって、ページングメッセージをスケジュールおよび送信すること、または送信パラメータの各グループのうちの制御チャネルスケジューリングインジケーションが、ネガティブであるとき、基地局が、制御チャネルを使用せずに、共通メッセージを目標デバイスに送信すること、例えば、制御チャネルを使用せずに、ページングメッセージを送信することを含むことがある。
【００３９】
基地局が、第１の送信構成に従って、共通メッセージを目標ＭＴＣデバイスに送信することは、送信パラメータの各グループが、共通メッセージを送信するために使用される狭帯域の量を含むとき、基地局が、要件に従って、複数の狭帯域上において共通メッセージを送信することがあることを含むことがある。例えば、ＭＴＣデバイス識別子、セル識別子（英：Ｉｄｅｎｔｉｆｉｅｒ、略してＩＤ）、ページング時点、または共通メッセージのための狭帯域の量のうちの１つまたは複数のパラメータに従って、基地局は、複数の異なる狭帯域上において、異なるＭＴＣデバイスのためのページングメッセージを送信する。
【００４０】
基地局が、第１の送信構成に従って、共通メッセージを目標ＭＴＣデバイスに送信することは、送信パラメータの各グループが、共通メッセージを送信するために使用される狭帯域のロケーションを含むとき、基地局が、要件に従って、複数の狭帯域上において共通メッセージを送信することがあることを含むことがある。例えば、ＭＴＣデバイス識別子、セルＩＤ、またはページング時点のうちの１つまたは複数のパラメータに従って、基地局は、ＭＴＣデバイスのためのページングメッセージを送信するための狭帯域を決定し、基地局によって決定された狭帯域上において、ＭＴＣデバイスのためのページングメッセージを送信する。
【００４１】
基地局が、第１の送信構成に従って、共通メッセージを目標ＭＴＣデバイスに送信することは、送信パラメータの各グループが、共通メッセージを送信するための最大トランスポートブロックサイズを含むとき、基地局が、共通メッセージのトランスポートブロックサイズが、最大トランスポートブロックサイズを超えないことを保証することを含むことがある。例えば、基地局は、ページングメッセージのトランスポートブロックサイズが、最大トランスポートブロックサイズを超えないことを保証する。
【００４２】
さらに、送信パラメータのうちの最大トランスポートブロックサイズは、共通メッセージ内に含まれることができるＭＴＣデバイス識別子の最大量を含む。特に、１つのＲＡＲメッセージは、複数のＭＴＣデバイス識別子を含むことがある。１つのページングメッセージは、複数のＭＴＣデバイス識別子を含むことがある。したがって、共通メッセージを送信するための最大トランスポートブロックサイズは、共通メッセージ内に含まれるＭＴＣデバイス識別子の最大量を決定することによって、決定されることがある。
【００４３】
さらに、方法は、第１の送信構成を目標ＭＴＣデバイスに、基地局によって、送信するステップをさらに含むことがある。このようにして、目標ＭＴＣデバイスは、基地局によって送信された共通メッセージを、第１の送信構成に従って、受信することがある。
【００４４】
さらに、基地局が、第１の送信構成を決定する前に、方法は、基地局によって、第１の時間粒度に従って、目標ＭＴＣデバイスの関連情報についての統計を収集するステップをさらに含むことがある。基地局が、第１の送信構成を決定することは、基地局が、統計結果に従って、第１の送信構成を決定することを含む。例えば、第１の時間粒度は、ページングメッセージ送信間隔、またはＲＡＲ送信間隔であることがある。例えば、各ページングメッセージ送信時点においてページングがそれらに送信されることがあるＭＴＣデバイスの量が、カウントされることがあり、各ページング時点において使用される最大トランスポートブロックサイズが、ＭＴＣデバイスの獲得された量に従って、決定される。
【００４５】
さらに、基地局が、第１の送信構成に従って、共通メッセージを目標ＭＴＣデバイスに送信した後、方法は、第１の時間粒度に従って、目標ＭＴＣデバイスの関連情報についての統計を、基地局によって、収集するステップと、統計結果に従って、第１の送信構成を、基地局によって、更新するステップと、更新された第１の送信構成に従って、共通メッセージを、基地局によって、送信するステップとをさらに含むことがある。
【００４６】
図２は、本発明の実施形態による、共通メッセージを送信するための方法の概略フローチャートである。
【００４７】
２０１．ＭＴＣデバイスが、第１の送信構成を決定し、第１の送信構成は、送信パラメータの少なくとも１つのグループと、送信パラメータの各グループを使用するための時点とを含み、送信パラメータは、以下のパラメータ、すなわち、共通メッセージを送信するために基地局によって使用される狭帯域の量、共通メッセージを送信するために基地局によって使用される狭帯域のロケーション、または共通メッセージを送信するために基地局によって使用される最大トランスポートブロックサイズおよび制御チャネルスケジューリングインジケーションのうちの１つまたは複数を含み、制御チャネルインジケーションが、基地局が制御チャネルを使用して、共通メッセージをスケジュールおよび送信するかどうかを示すために使用される。
【００４８】
２０２．ＭＴＣデバイスが、基地局によって送信された共通メッセージを、第１の送信構成に従って、受信する。
【００４９】
図２に示される方法によれば、ＭＴＣデバイスは、基地局が、異なる時点において共通メッセージを送信するために使用される方式、および共通メッセージを送信するために使用される送信パラメータを決定することができるように、共通メッセージを送信するために基地局によって使用される方式およびパラメータを、第１の送信構成に従って、決定することができる。したがって、共通メッセージの送信は、より柔軟である。
【００５０】
特に、ＭＴＣデバイスが、基地局によって送信された共通メッセージを、第１の送信構成に従って、受信することは、送信パラメータの各グループのうちの制御チャネルインジケーションが、ポジティブであるとき、ＭＴＣデバイスが、基地局によって送信された共通メッセージを、制御チャネルを使用することによって、受信すること、例えば、制御チャネルを使用することによって、ページングメッセージを受信すること、または送信パラメータの各グループのうちの制御チャネルインジケーションが、ネガティブであるとき、ＭＴＣデバイスが、基地局によって送信された共通メッセージを、制御チャネルを使用せずに、受信すること、例えば、制御チャネルを使用せずに、ページングメッセージを受信することを含む。
【００５１】
ＭＴＣデバイスが、基地局によって送信された共通メッセージを、第１の送信構成に従って、受信することは、送信パラメータの各グループが、共通メッセージを送信するために使用される狭帯域の量を含むとき、ＭＴＣデバイスが、要件に従って、１つまたは複数の狭帯域上において共通メッセージを受信することを含むことがある。例えば、ＭＴＣデバイス識別子、セルＩＤ、ページング時点、または共通メッセージのための狭帯域の量のうちの１つまたは複数のパラメータに従って、ＭＴＣデバイスは、１つまたは複数の異なる狭帯域上において、ＭＴＣデバイスのためのページングメッセージを受信する。例えば、基地局は、パラメータに従って、狭帯域を決定し、基地局によって決定された狭帯域上において、特定のＭＴＣデバイスに固有のページングメッセージおよび／またはＲＡＲメッセージを送信することがある。ＭＴＣデバイスも、同じ処理に従って、狭帯域を決定し、決定された狭帯域上において、ＭＴＣデバイスに固有のページングメッセージおよび／またはＲＡＲメッセージを送信することがある。
【００５２】
ＭＴＣデバイスが、基地局によって送信された共通メッセージを、第１の送信構成に従って、受信することは、送信パラメータの各グループが、共通メッセージを送信するために使用される狭帯域のロケーションを含むとき、ＭＴＣデバイスが、要件に従って、１つまたは複数の狭帯域上において共通メッセージを受信することを含むことがある。例えば、ＭＴＣデバイス識別子、セルＩＤ、またはページング時点のうちの１つまたは複数のパラメータに従って、ＭＴＣデバイスは、ページングメッセージを受信するためのＭＴＣデバイスの１つまたは複数の狭帯域を決定し、ＭＴＣデバイスによって決定された狭帯域上において、ＭＴＣデバイスのためのページングメッセージを受信する。例えば、基地局は、パラメータに従って、狭帯域を決定し、基地局によって決定された狭帯域上において、特定のＭＴＣデバイスに固有のページングメッセージおよび／またはＲＡＲメッセージを送信することがある。ＭＴＣデバイスも、同じ処理に従って、狭帯域を決定し、決定された狭帯域上において、ＭＴＣデバイスに固有のページングメッセージおよび／またはＲＡＲメッセージを送信することがある。
【００５３】
ＭＴＣデバイスが、基地局によって送信された共通メッセージを、第１の送信構成に従って、受信することは、送信パラメータの各グループが、共通メッセージを送信するための最大トランスポートブロックサイズを含むとき、ＭＴＣデバイスによって受信される共通メッセージのトランスポートブロックサイズは、最大トランスポートブロックサイズを超えないことを含むことがある。例えば、ＭＴＣデバイスは、ＭＴＣデバイス自体のページング時点において、ページング時点に対応する最大トランスポートブロックサイズを使用することによって、ページングメッセージを受信することがある。
【００５４】
さらに、送信パラメータのうちの最大トランスポートブロックサイズは、共通メッセージ内に含まれることができるＭＴＣデバイス識別子の最大量を含む。
【００５５】
任意選択で、実施形態においては、ＭＴＣデバイスが、第１の送信構成を決定することは、ＭＴＣデバイスが、基地局によって送信された第１の送信構成を受信することを含む。
【００５６】
任意選択で、別の実施形態においては、第１の送信構成は、さらに、ＭＴＣデバイスにおいて事前に設定されることがある。
【００５７】
当業者が本発明をより良く理解するのを助けるために、本発明が、特定の実施形態を参照して、以下でさらに説明される。特定の実施形態は、本発明の技術的解決策をより良く理解する助けとなるように使用されるにすぎず、本発明の技術的解決策を限定することは意図されていないことが理解されるべきである。
【００５８】
図３は、Ｍ２Ｍ通信システムの概略図である。図３に示されるように、通信システム３００は、基地局３０１と、（ＭＴＣデバイス３０２、ＭＴＣデバイス３０３、およびＭＴＣデバイス３０４を含む）目標ＭＴＣデバイスとを含む。
【００５９】
基地局３０１は、第１の送信構成に従って、共通メッセージを目標ＭＴＣデバイスに送信するために、第１の送信構成を決定することがある。第１の送信構成は、送信パラメータの少なくとも１つのグループと、送信パラメータの各グループを使用するための時点とを含むことがある。
【００６０】
特に、基地局３０１によって決定される送信パラメータの各グループは、以下のパラメータ、すなわち、共通メッセージを送信するために使用される狭帯域の量、共通メッセージを送信するために使用される狭帯域のロケーション、または共通メッセージを送信するために使用されるサポートされる最大トランスポートブロックサイズおよび制御チャネルスケジューリングインジケーションのうちの１つまたは複数を含むことがある。制御チャネルスケジューリングインジケーションは、制御チャネルを使用して、共通メッセージをスケジュールおよび送信するかどうかを示すために使用される。基地局は、共通メッセージを送信するために使用される狭帯域の量、共通メッセージを送信するために使用される狭帯域のロケーション、または共通メッセージを送信するために使用されるサポートされる最大トランスポートブロックサイズを、共通メッセージの送信要件に従って、調整することがある。例えば、ページング時点１において、多数のＭＴＣデバイスにページングを行う必要があり、ページングメッセージが、大量のＭＴＣデバイス識別子を搬送する必要がある場合、基地局は、ページングメッセージが、大量のＭＴＣデバイス識別子を含むことができるように、大きいページングメッセージＴＢＳを使用して、ページングメッセージを送信することがある。対照的に、ページング時点２において、少数のＭＴＣデバイスにページングを行う必要がある場合、基地局は、ページングメッセージが、少量のＭＴＣデバイス識別子を含むことがあるように、小さいページングメッセージＴＢＳを使用して、ページングメッセージを送信することがある。同じカバレージ拡張要件を用いると、使用される、より大きいトランスポートブロックサイズは、共通メッセージのために利用可能なより大量の繰り返しを示し、使用される、より小さいトランスポートブロックサイズは、共通メッセージのために利用可能なより少量の繰り返しを示す。
【００６１】
同様に、共通メッセージを送信するために使用されるより大量の狭帯域は、送信されることができるより大量の共通メッセージ、例えば、送信されることができるＵＥのより大量のページングメッセージおよび／またはＲＡＲメッセージを示す。共通メッセージを送信するために使用されるより少量の狭帯域は、送信されることができるより少量の共通メッセージ、例えば、送信されることができるＵＥのより少量のページングメッセージおよび／またはＲＡＲメッセージを示す。
【００６２】
さらに、最大トランスポートブロックサイズは、共通メッセージ内に含まれることができるＭＴＣデバイス識別子の最大量を含む。特に、１つのＲＡＲメッセージは、複数のＭＴＣデバイスのＲＡＲメッセージを含むことがある。１つのページングメッセージも、複数のＭＴＣデバイスのページングメッセージを含むことがある。したがって、共通メッセージを送信するための最大トランスポートブロックサイズは、共通メッセージ内に含まれるＭＴＣデバイス識別子の最大量を決定することによって、決定されることがある。ＭＴＣデバイスの量は、共通メッセージ内に含まれるＭＴＣデバイス識別子を使用することによって、決定されることがある。
【００６３】
当業者は、共通メッセージを送信するために使用される狭帯域のロケーションを決定するための方法は、複数の狭帯域における各狭帯域のロケーションを決定すること、または狭帯域の開始ロケーション、もしくは２つの狭帯域のロケーション間の距離など、ルールを決定することであり得ることを理解すべきである。したがって、各狭帯域のロケーションは、決定されたルールに従って、決定されることがある。さらに、共通メッセージによって占有される狭帯域のロケーションは、固定されることがあり、または固定されないことがある。言い換えると、共通メッセージを送信するために、特定の時点において、どの狭帯域が使用されるべきかは、確定することがあり、または確定しないことがある。共通メッセージによって占有される狭帯域のロケーションが、固定されている場合、共通メッセージを送信するために、特定の時点において、特定の狭帯域のロケーションが、使用される。例えば、共通メッセージを送信するために、時点１において、狭帯域１が、使用されることがあり、共通メッセージを送信するために、時点２において、狭帯域２が、使用されることがある。共通メッセージによって占有される狭帯域のロケーションが、固定されていない場合、共通メッセージによって占有される狭帯域のロケーションは、（ＭＴＣデバイス識別子など）ＭＴＣデバイスの関連パラメータに関連する。例えば、共通メッセージをＭＴＣデバイスに送信するために使用される狭帯域のロケーションは、ＭＴＣデバイス識別子に従って、複数の決定された狭帯域のロケーションから決定されることがある。
【００６４】
送信パラメータの１つまたは複数のグループを決定した後、基地局３０１は、送信パラメータの各グループを使用して、共通メッセージを送信するための時点を決定し、対応する時点において、送信パラメータを使用して、共通メッセージを送信することがある。
【００６５】
特に、基地局は、送信パラメータのうちの制御チャネルスケジューリングインジケーションが、ポジティブな（すなわち、共通メッセージを送信するために、制御チャネルが使用されることを示す）時点を決定することがある。基地局は、送信パラメータのうちの制御チャネルスケジューリングインジケーションが、ネガティブな（すなわち、共通メッセージを送信するために、制御チャネルが使用されないことを示す）時点をさらに決定することがある。基地局は、送信パラメータのうちの制御チャネルスケジューリングインジケーション以外の送信パラメータを使用するための時点をさらに決定することがある。
【００６６】
さらに、（狭帯域の量、狭帯域のロケーション、または最大トランスポートブロックサイズなど）別の送信パラメータが、使用されるとき、基地局は、各送信パラメータのための特定の時点をさらに指定することがある。例えば、基地局３０１は、デフォルトパラメータ、特定のパラメータ、共通メッセージを送信するためにデフォルトパラメータを使用するための時点、および共通メッセージを送信するために特定のパラメータを使用するための時点を決定することがある。例えば、基地局３０１は、デフォルトパラメータは、５つの狭帯域を使用して、共通メッセージを送信することであると決定し、特定のパラメータは、２つの狭帯域を使用して、共通メッセージを送信することであると決定することがある。加えて、基地局は、時点１、時点２、および時点５において、デフォルトパラメータが使用され、時点３、および時点４において、特定のパラメータが使用されると決定する。このケースにおいては、基地局は、時点１においては、５つの狭帯域を使用して、共通メッセージを送信し、時点４においては、２つの狭帯域を使用して、共通メッセージを送信する。基地局３０１は、複数の異なる特定のパラメータと、対応するパラメータを使用して、共通メッセージを送信するための時点とをさらに決定することがある。例えば、基地局３０１は、時点１においては、１つの狭帯域を使用して、共通メッセージを送信し、時点２においては、２つの狭帯域を使用して、共通メッセージを送信し、時点３においては、３つの狭帯域を使用して、共通メッセージを送信することを決定することがある。このようにして、基地局３０１は、特定の時点（例えば、時点３）において、特定の量の狭帯域（例えば、３つの狭帯域）を使用して、共通メッセージを送信することがある。送信パラメータの値と、送信パラメータを使用して共通メッセージを送信するための時点との間の関係は、直接的に決定されることがあり（例えば、時点１においては、１つの狭帯域が使用される）、または特定の関係を使用することによって、計算されることがある（例えば、時点ｎにおいては、２ｎの狭帯域が使用される）ことが、理解されることができる。別の例として、基地局３０１は、デフォルトパラメータが、共通メッセージを送信するために使用される最大トランスポートブロックサイズであり、４００ビットであると決定し、特定のパラメータが、共通メッセージを送信するために使用される最大トランスポートブロックサイズであり、２００ビットであると決定することがある。加えて、基地局は、時点１、時点２、および時点５において、デフォルトパラメータが使用され、時点３、および時点４において、特定のパラメータが使用されると決定する。このケースにおいては、基地局は、時点１においては、最大で４００ビットを使用して、共通メッセージを送信し、時点４においては、最大で２００ビットを使用して、共通メッセージを送信する。基地局３０１は、複数の異なる特定のパラメータと、対応するパラメータを使用して共通メッセージを送信するための時点とをさらに決定することがある。例えば、基地局３０１は、時点１において共通メッセージを送信するために使用される最大トランスポートブロックサイズは、２００ビットであり、時点２において共通メッセージを送信するために使用される最大トランスポートブロックサイズは、４００ビットであり、時点３において共通メッセージを送信するために使用される最大トランスポートブロックサイズは、８００ビットであることを決定することがある。このようにして、基地局３０１は、特定の時点（例えば、時点３）において、特定の最大トランスポートブロックサイズ（例えば、８００ビット）を使用して、共通メッセージを送信することがある。パラメータの値と、パラメータを使用して共通メッセージを送信するための時点との間の関係は、直接的に決定されることがあり（例えば、時点１においては、１ビットが使用される）、または特定の関係を使用することによって、計算されることがある（例えば、時点ｎにおいては、２ｎビットが使用され、ｎは正の整数である）ことが、理解されることができる。
【００６７】
加えて、送信パラメータの各グループを使用するための時点は、送信パラメータの各グループを使用するためのタイミングとして、広範囲に理解されることがあり、または送信パラメータの各グループを使用するためのトリガ条件として、広範囲に理解されることがあることが、理解されることができる。例えば、ある時点が、ある条件を満たす場合、例えば、その時点が、特定の関係を満たす場合、対応する送信パラメータが、共通メッセージを送信するために使用される。例えば、ある時点が、奇数番号を与えられている場合、ある送信パラメータが、使用されることがあり、ある時点が、偶数番号を与えられている場合、別の送信パラメータが、使用されることがある。別の例として、ある時点において、ある送信パラメータが、使用されるように指定されている場合、その時点において、その送信パラメータが、使用され、別の時点において、送信パラメータが、使用されるように指定されていない場合、その時点において、デフォルト送信パラメータが、使用されることがある。
【００６８】
第１の送信構成を決定した後、基地局３０１は、第１の送信構成に従って、共通メッセージを目標ＭＴＣデバイスに送信することがある。特に、基地局は、第１の送信構成において使用される送信パラメータのうちの制御チャネルスケジューリングインジケーションが、ポジティブである時点において、制御チャネルを使用することによって、共通メッセージを目標ＭＴＣデバイスに送信することがある。基地局は、さらに、第１の送信構成における送信パラメータのうちの制御チャネルスケジューリングインジケーションが、ネガティブである時点において、制御チャネルを使用せずに、共通メッセージを目標ＭＴＣデバイスに送信することがある。基地局は、さらに、（狭帯域の量、狭帯域のロケーション、および／または最大トランスポートブロックサイズなど）別の送信パラメータを使用して、共通メッセージを送信するための時点に従って、対応する送信パラメータを使用して、共通メッセージを目標ＭＴＣデバイスに送信することがある。さらに、基地局３０１は、目標ＭＴＣデバイスが、第１の送信構成に従って、共通メッセージを受信することができるように、第１の送信構成を目標ＭＴＣデバイスにさらに送信することがある。特に、基地局３０１は、第１の送信構成を目標ＭＴＣデバイスに直接的に送信することがある。代替として、基地局３０１は、さらに、ブロードキャスティングを用いて、第１の送信構成を、サービング範囲内のすべてのＭＴＣデバイスにブロードキャストすることがある。このようにして、目標ＭＴＣデバイスは、基地局３０１によって送信された第１の送信構成を受信することもできる。
【００６９】
特に、ＭＴＣデバイス３０２が、例として使用される。共通メッセージが、ページングメッセージである場合、ＭＴＣデバイス３０２は、共通メッセージが送信されるそれ自体の時点（すなわち、ページング時点）を計算し、ページングメッセージをどのように受信するかを、第１の送信構成に従って、決定することがある。ＭＴＣデバイス３０２が、第１の送信構成のうちの送信パラメータに従って、制御チャネルを使用することによって、ページング時点において、ページングメッセージを受信すると決定した場合、ＭＴＣデバイス３０２は、制御チャネルを使用することによって、ページングメッセージを受信する。ＭＴＣデバイスが、第１の送信構成のうちの送信パラメータに従って、（狭帯域の量、狭帯域のロケーション、および／または最大トランスポートブロックサイズなど）別の送信パラメータを使用して、送信時点において、ページングメッセージを受信すると決定した場合、ＭＴＣデバイス３０２は、対応する送信パラメータを決定すること、例えば、ページング時点についての、使用される狭帯域の量、およびサポートされる最大トランスポートブロックサイズを決定することができる。このようにして、ＭＴＣデバイス３０２は、基地局３０１によって送信されたページングメッセージを、サポートされる最大トランスポートブロックサイズ、および／または使用される狭帯域の量に従って、受信することができる。
【００７０】
任意選択で、実施形態においては、基地局３０１は、第１の時間粒度に従って、目標ＭＴＣデバイスの関連情報（例えば、ＭＴＣデバイスの量およびページング時点）についての統計を収集することがある。基地局３０１は、統計結果に従って、第１の送信構成を決定することがある。第１の時間粒度は、共通メッセージを送信するための時間間隔であることがある。
【００７１】
さらに、基地局３０１は、決定された第１の送信構成を更新することがある。特に、基地局３０１は、第１の時間粒度に従って、目標ＭＴＣデバイスの関連情報（例えば、ＭＴＣデバイスの量およびページング時点）についての統計を収集することがある。基地局３０１は、統計結果に従って、第１の送信構成を更新することがある。第１の送信構成を更新することは、制御チャネルを使用して共通メッセージを送信するための時点を更新することであることがあり、または送信パラメータを使用して共通メッセージを送信するための時点を更新することであることがあり、または送信パラメータを更新すること、例えば、狭帯域の量を増やす、もしくは減らすこと、およびサポートされる最大トランスポートブロックサイズを増やす、もしくは減らすことであることがある。その後、更新された第１の送信構成に従って、制御チャネルまたは送信パラメータが、共通メッセージを目標ＭＴＣデバイスに送信するために使用される。例えば、目標ＭＴＣデバイスの量が、増やされた場合、狭帯域の量、および／またはサポートされる最大トランスポートブロックサイズが、増やされることがある。目標ＭＴＣデバイスの量が、減らされた場合、狭帯域の量、および／またはサポートされる最大トランスポートブロックサイズが、減らされることがある。
【００７２】
図４は、本発明の実施形態による、基地局の構造ブロック図である。図４に示される基地局４００は、プロセッサ４０１と、メモリ４０２と、送受信機回路４０３とを含む。
【００７３】
基地局４００のコンポーネントは、バスシステム４０４を使用することによって、互いに結合される。データバスに加えて、バスシステム４０４は、電力バスと、制御バスと、ステータス信号バスとをさらに含む。しかしながら、説明を明瞭にするために、図４においては、様々なバスは、バスシステム４０４として示されている。
【００７４】
本発明の上述の実施形態において開示された方法は、プロセッサ４０１に適用されることがあり、またはプロセッサ４０１によって実施されることがある。プロセッサ４０１は、集積回路チップであることがあり、信号処理能力を有する。実施処理において、上述の方法におけるステップは、プロセッサ４０１内のハードウェアの統合された論理回路、またはソフトウェアの形態の命令を用いて完遂されることがある。上述のプロセッサ４０１は、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）もしくは別のプログラム可能な論理デバイス、個別ゲートもしくはトランジスタ論理デバイス、または個別ハードウェアコンポーネントであることがある。プロセッサ４０１は、本発明の実施形態において開示された、方法、ステップ、および論理ブロック図を実施または実行することができる。汎用プロセッサは、マイクロプロセッサであることがあり、またはプロセッサは、任意の通常プロセッサなどであることがある。本発明の実施形態を参照して開示された方法のステップは、ハードウェア復号プロセッサによって直接的に実行および完遂されることがあり、または復号プロセッサ内においてハードウェアモジュールおよびソフトウェアモジュールの組み合わせによって実行および完遂されることがある。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、読取り専用メモリ（Ｒｅａｄ−Ｏｎｌｙ  Ｍｅｍｏｒｙ、ＲＯＭ）、プログラム可能読取り専用メモリもしくは電気的に消去可能なプログラム可能メモリ、またはレジスタなど、当技術分野における成熟した記憶媒体内に配置されることがある。記憶媒体は、メモリ４０２内に配置される。プロセッサ４０１は、メモリ４０２から命令を読み取り、プロセッサのハードウェアと組み合わせて、上述の方法のステップを完遂する。
【００７５】
プロセッサ４０１は、第１の送信構成を決定するように構成され、第１の送信構成は、送信パラメータの少なくとも１つのグループと、送信パラメータの各グループを使用するための時点とを含み、送信パラメータの各グループは、以下のパラメータ、すなわち、共通メッセージを送信するために使用される狭帯域の量、共通メッセージを送信するために使用される狭帯域のロケーション、ならびに共通メッセージを送信するために使用される最大トランスポートブロックサイズおよび制御チャネルスケジューリングインジケーションのうちの１つまたは複数を含み、制御チャネルスケジューリングインジケーションは、制御チャネルを使用して、共通メッセージをスケジュールおよび送信するかどうかを示すために使用される。
【００７６】
送受信機回路４０３は、第１の送信構成に従って、共通メッセージを目標マシンタイプ通信ＭＴＣデバイスに送信するように構成される。
【００７７】
図４に示される基地局は、異なる時点において共通メッセージを送信するために使用される方式およびパラメータを決定することができる。例えば、共通メッセージを送信するために、異なる送信パラメータが、異なる時点において使用されることがある。例えば、基地局は、共通メッセージを送信するために使用される狭帯域の量、共通メッセージを送信するために使用される狭帯域のロケーション、共通メッセージを送信するための最大トランスポートブロックサイズ、または制御チャネルを使用して共通メッセージをスケジュールおよび送信するかどうかなどを決定することができる。したがって、基地局は、共通メッセージの送信を柔軟に制御することができる。
【００７８】
特に、送受信機回路４０３は、送信パラメータの各グループのうちの制御チャネルスケジューリングインジケーションが、ポジティブであるとき、送信パラメータの各グループのうちの共通メッセージを送信するための時点に従って、制御チャネルを使用することによって、共通メッセージを目標ＭＴＣデバイスに送信するように、または送信パラメータの各グループのうちの制御チャネルスケジューリングインジケーションが、ネガティブであるとき、制御チャネルを使用せずに、共通メッセージを目標デバイスに送信するように、例えば、制御チャネルを使用せずに、ページングメッセージを送信するように構成される。
【００７９】
送受信機回路４０３は、送信パラメータの各グループが、共通メッセージを送信するために使用される狭帯域の量を含むとき、要件に従って、複数の狭帯域上において共通メッセージを送信するように構成される。例えば、ＭＴＣデバイス識別子、セル識別子（英：Ｉｄｅｎｔｉｆｉｅｒ、略してＩＤ）、ページング時点、または共通メッセージのための狭帯域の量のうちの１つまたは複数のパラメータに従って、送受信機回路４０３は、複数の異なる狭帯域上において、異なるＭＴＣデバイスのためのページングメッセージを送信する。
【００８０】
送受信機回路４０３は、送信パラメータの各グループが、共通メッセージを送信するために使用される狭帯域のロケーションを含むとき、要件に従って、複数の狭帯域上において共通メッセージを送信するように構成される。例えば、ＭＴＣデバイス識別子、セルＩＤ、またはページング時点のうちの１つまたは複数のパラメータに従って、送受信機回路４０３は、ＭＴＣデバイスのためのページングメッセージを送信するための狭帯域を決定し、送受信機回路４０３によって決定された狭帯域上において、ＭＴＣデバイスのためのページングメッセージを送信する。
【００８１】
送受信機回路４０３は、送信パラメータの各グループが、共通メッセージを送信するための最大トランスポートブロックサイズを含むとき、共通メッセージのトランスポートブロックサイズが、最大トランスポートブロックサイズを超えないことを保証するように構成される。例えば、送受信機回路４０３は、ページングメッセージのトランスポートブロックサイズが、最大トランスポートブロックサイズを超えないことを保証する。
【００８２】
特に、送信パラメータのうちの最大トランスポートブロックサイズは、共通メッセージ内に含まれることができるＭＴＣデバイス識別子の最大量を含む。
【００８３】
さらに、送受信機回路４０３は、目標ＭＴＣデバイスが、第１の送信構成に従って、共通メッセージを受信することができるように、第１の送信構成を目標ＭＴＣデバイスに送信するようにさらに構成される。
【００８４】
さらに、プロセッサ４０１は、第１の時間粒度に従って、目標ＭＴＣデバイスの関連情報についての統計を収集するようにさらに構成され、プロセッサ４０１は、統計結果に従って、第１の送信構成を決定するように構成される。
【００８５】
図５は、本発明の実施形態による、ＭＴＣデバイスの構造ブロック図である。図５に示されるＭＴＣデバイス５００は、プロセッサ５０１と、メモリ５０２と、送受信機回路５０３とを含む。
【００８６】
ＭＴＣデバイス５００のコンポーネントは、バスシステム５０４を使用することによって、互いに結合される。データバスに加えて、バスシステム５０４は、電力バスと、制御バスと、ステータス信号バスとをさらに含む。しかしながら、説明を明瞭にするために、図５においては、様々なバスは、バスシステム５０４として示されている。
【００８７】
本発明の上述の実施形態において開示された方法は、プロセッサ５０１に適用されることがあり、またはプロセッサ５０１によって実施されることがある。プロセッサ５０１は、集積回路チップであってよく、信号処理能力を有する。実施処理において、上述の方法におけるステップは、プロセッサ５０１内のハードウェアの統合された論理回路、またはソフトウェアの形態の命令を用いて完遂されることがある。上述のプロセッサ５０１は、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）もしくは別のプログラム可能な論理デバイス、個別ゲートもしくはトランジスタ論理デバイス、または個別ハードウェアコンポーネントであることがある。プロセッサ５０１は、本発明の実施形態において開示された、方法、ステップ、および論理ブロック図を実施または実行することがある。汎用プロセッサは、マイクロプロセッサであることがあり、またはプロセッサは、任意の通常プロセッサなどであることがある。本発明の実施形態を参照して開示された方法のステップは、ハードウェア復号プロセッサによって直接的に実行および完遂されることがあり、または復号プロセッサ内においてハードウェアモジュールおよびソフトウェアモジュールの組み合わせによって実行および完遂されることがある。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、読取り専用メモリ（Ｒｅａｄ−Ｏｎｌｙ  Ｍｅｍｏｒｙ、ＲＯＭ）、プログラム可能読取り専用メモリもしくは電気的に消去可能なプログラム可能メモリ、またはレジスタなど、当技術分野における成熟した記憶媒体内に配置されることがある。記憶媒体は、メモリ５０２内に配置される。プロセッサ５０１は、メモリ５０２から命令を読み取り、プロセッサのハードウェアと組み合わせて、上述の方法のステップを完遂する。
【００８８】
プロセッサ５０１は、第１の送信構成を決定するように構成され、第１の送信構成は、送信パラメータの少なくとも１つのグループと、送信パラメータの各グループを使用するための時点とを含み、制御チャネルインジケーションが、基地局が制御チャネルを使用して、共通メッセージを送信するかどうかを示すために使用され、送信パラメータは、以下のパラメータ、すなわち、共通メッセージを送信するために基地局によって使用される狭帯域の量、共通メッセージを送信するために基地局によって使用される狭帯域のロケーション、ならびに共通メッセージを送信するために基地局によって使用される最大トランスポートブロックサイズおよび制御チャネルスケジューリングインジケーションのうちの１つまたは複数を含み、制御チャネルインジケーションは、基地局が制御チャネルを使用して、共通メッセージをスケジュールおよび送信するかどうかを示すために使用される。
【００８９】
送受信機回路５０３は、基地局によって送信された共通メッセージを、第１の送信構成に従って、受信するように構成される。
【００９０】
図５に示されるＭＴＣデバイスは、基地局が、異なる時点において共通メッセージを送信するために使用される方式、および共通メッセージを送信するために使用される送信パラメータを決定することができるように、共通メッセージを送信するために基地局によって使用される方式およびパラメータを、第１の送信構成に従って、決定することができる。したがって、共通メッセージの送信は、より柔軟である。
【００９１】
送受信機回路５０３は、送信パラメータの各グループのうちの制御チャネルインジケーションが、ポジティブであるとき、基地局によって送信された共通メッセージを、制御チャネルを使用することによって、受信するように、例えば、制御チャネルを使用することによって、ページングメッセージを受信するように、または送信パラメータの各グループのうちの制御チャネルインジケーションが、ネガティブであるとき、基地局によって送信された共通メッセージを、制御チャネルを使用せずに、受信するように、例えば、制御チャネルを使用せずに、ページングメッセージを受信するように構成される。
【００９２】
送受信機回路５０３は、送信パラメータの各グループが、共通メッセージを送信するために使用される狭帯域の量を含むとき、要件に従って、１つまたは複数の狭帯域上において共通メッセージを受信するように構成される。例えば、ＭＴＣデバイス識別子、セルＩＤ、ページング時点、または共通メッセージのための狭帯域の量のうちの１つまたは複数のパラメータに従って、送受信機回路５０３は、１つまたは複数の異なる狭帯域上において、ＭＴＣデバイスのためのページングメッセージを受信する。例えば、基地局は、パラメータに従って、狭帯域を決定し、基地局によって決定された狭帯域上において、特定のＭＴＣデバイスに固有のページングメッセージおよび／またはＲＡＲメッセージを送信することがある。送受信機回路５０３も、同じ処理に従って、狭帯域を決定し、決定された狭帯域上において、ＭＴＣデバイスに固有のページングメッセージおよび／またはＲＡＲメッセージを受信することがある。
【００９３】
送受信機回路５０３は、送信パラメータの各グループが、共通メッセージを送信するために使用される狭帯域のロケーションを含むとき、要件に従って、１つまたは複数の狭帯域上において共通メッセージを受信するように構成される。例えば、ＭＴＣデバイス識別子、セルＩＤ、またはページング時点のうちの１つまたは複数のパラメータに従って、送受信機回路５０３は、ページングメッセージを受信するためのＭＴＣデバイスの１つまたは複数の狭帯域を決定し、送受信機回路５０３によって決定された狭帯域上において、ＭＴＣデバイスのためのページングメッセージを受信する。例えば、基地局は、パラメータに従って、狭帯域を決定し、基地局によって決定された狭帯域上において、特定のＭＴＣデバイスに固有のページングメッセージおよび／またはＲＡＲメッセージを送信することがある。送受信機回路５０３も、同じ処理に従って、狭帯域を決定し、決定された狭帯域上において、ＭＴＣデバイスに固有のページングメッセージおよび／またはＲＡＲメッセージを受信することがある。
【００９４】
送受信機回路５０３は、送信パラメータの各グループが、共通メッセージを送信するための最大トランスポートブロックサイズを含むとき、受信された共通メッセージのトランスポートブロックサイズが、最大トランスポートブロックサイズを超えないことを保証するように構成される。例えば、送受信機回路５０３は、ＭＴＣデバイス自体のページング時点において、ページング時点に対応する最大トランスポートブロックサイズを使用することによって、ページングメッセージを受信することがある。
【００９５】
特に、送信パラメータのうちの最大トランスポートブロックサイズは、共通メッセージ内に含まれることができるＭＴＣデバイス識別子の最大量を含む。
【００９６】
任意選択で、実施形態においては、プロセッサ５０１は、第１の送信構成が、基地局によって送信され、送受信機回路５０３によって受信された第１の送信構成であると決定するように構成される。
【００９７】
図６は、本発明の実施形態による、基地局の構造ブロック図である。図６に示される基地局６００は、決定ユニット６０１と、送信ユニット６０２とを含む。
【００９８】
決定ユニット６０１は、第１の送信構成を決定するように構成され、第１の送信構成は、送信パラメータの少なくとも１つのグループと、送信パラメータの各グループを使用するための時点とを含み、送信パラメータの各グループは、以下のパラメータ、すなわち、共通メッセージを送信するために使用される狭帯域の量、共通メッセージを送信するために使用される狭帯域のロケーション、ならびに共通メッセージを送信するために使用される最大トランスポートブロックサイズおよび制御チャネルスケジューリングインジケーションのうちの１つまたは複数を含み、制御チャネルスケジューリングインジケーションは、制御チャネルを使用して、共通メッセージをスケジュールおよび送信するかどうかを示すために使用される。
【００９９】
送信ユニット６０２は、第１の送信構成に従って、共通メッセージを目標マシンタイプ通信ＭＴＣデバイスに送信するように構成される。
【０１００】
図６に示される基地局は、異なる時点において共通メッセージを送信するために使用される方式およびパラメータを決定することができる。例えば、共通メッセージを送信するために、異なる送信パラメータが、異なる時点において使用されることがある。例えば、基地局は、共通メッセージを送信するために使用される狭帯域の量、共通メッセージを送信するために使用される狭帯域のロケーション、共通メッセージを送信するための最大トランスポートブロックサイズ、または制御チャネルを使用して共通メッセージをスケジュールおよび送信するかどうかなどを決定することができる。したがって、基地局は、共通メッセージの送信を柔軟に制御することができる。
【０１０１】
特に、送信ユニット６０２は、送信パラメータの各グループのうちの制御チャネルスケジューリングインジケーションが、ポジティブであるとき、送信パラメータの各グループのうちの共通メッセージを送信するための時点に従って、制御チャネルを使用することによって、共通メッセージを目標ＭＴＣデバイスに送信するように、または送信パラメータの各グループのうちの制御チャネルスケジューリングインジケーションが、ネガティブであるとき、制御チャネルを使用せずに、共通メッセージを目標デバイスに送信するように、例えば、制御チャネルを使用せずに、ページングメッセージを送信するように構成される。
【０１０２】
送信ユニット６０２は、送信パラメータの各グループが、共通メッセージを送信するために使用される狭帯域の量を含むとき、要件に従って、複数の狭帯域上において共通メッセージを送信するように構成される。例えば、ＭＴＣデバイス識別子、セル識別子（英：Ｉｄｅｎｔｉｆｉｅｒ、略してＩＤ）、ページング時点、または共通メッセージのための狭帯域の量のうちの１つまたは複数のパラメータに従って、送信ユニット６０２は、複数の異なる狭帯域上において、異なるＭＴＣデバイスのためのページングメッセージを送信する。
【０１０３】
送信ユニット６０２は、送信パラメータの各グループが、共通メッセージを送信するために使用される狭帯域のロケーションを含むとき、要件に従って、複数の狭帯域上において共通メッセージを送信するように構成される。例えば、ＭＴＣデバイス識別子、セルＩＤ、またはページング時点のうちの１つまたは複数のパラメータに従って、送信ユニット６０２は、ＭＴＣデバイスのためのページングメッセージを送信するための狭帯域を決定し、送信ユニット６０２によって決定された狭帯域上において、ＭＴＣデバイスのためのページングメッセージを送信する。
【０１０４】
送信ユニット６０２は、送信パラメータの各グループが、共通メッセージを送信するための最大トランスポートブロックサイズを含むとき、共通メッセージのトランスポートブロックサイズが、最大トランスポートブロックサイズを超えないことを保証するように構成される。例えば、送信ユニット６０２は、ページングメッセージのトランスポートブロックサイズが、最大トランスポートブロックサイズを超えないことを保証する。
【０１０５】
特に、送信パラメータのうちの最大トランスポートブロックサイズは、共通メッセージ内に含まれることができるＭＴＣデバイス識別子の最大量を含む。
【０１０６】
さらに、送信ユニット６０２は、目標ＭＴＣデバイスが、第１の送信構成に従って、共通メッセージを受信することができるように、第１の送信構成を目標ＭＴＣデバイスに送信するようにさらに構成される。
【０１０７】
さらに、決定ユニット６０１は、第１の時間粒度に従って、目標ＭＴＣデバイスの関連情報についての統計を収集するようにさらに構成され、決定ユニット６０１は、統計結果に従って、第１の送信構成を決定するように構成される。
【０１０８】
図７は、本発明の実施形態による、ＭＴＣデバイスの構造ブロック図である。図７に示されるＭＴＣデバイス７００は、決定ユニット７０１と、受信ユニット７０２とを含む。
【０１０９】
決定ユニット７０１は、第１の送信構成を決定するように構成され、第１の送信構成は、送信パラメータの少なくとも１つのグループと、送信パラメータの各グループを使用するための時点とを含み、送信パラメータは、以下のパラメータ、すなわち、共通メッセージを送信するために基地局によって使用される狭帯域の量、共通メッセージを送信するために基地局によって使用される狭帯域のロケーション、ならびに共通メッセージを送信するために基地局によって使用される最大トランスポートブロックサイズおよび制御チャネルスケジューリングインジケーションのうちの１つまたは複数を含み、制御チャネルインジケーションは、基地局が制御チャネルを使用して、共通メッセージをスケジュールおよび送信するかどうかを示すために使用される。
【０１１０】
受信ユニット７０２は、基地局によって送信された共通メッセージを、第１の送信構成に従って、受信するように構成される。
【０１１１】
図７に示されるＭＴＣデバイスは、基地局が、異なる時点において共通メッセージを送信するために使用される方式、および共通メッセージを送信するために使用される送信パラメータを決定することができるように、共通メッセージを送信するために基地局によって使用される方式およびパラメータを、第１の送信構成に従って、決定することができる。したがって、共通メッセージの送信は、より柔軟である。
【０１１２】
受信ユニット７０２は、送信パラメータの各グループのうちの制御チャネルインジケーションが、ポジティブであるとき、基地局によって送信された共通メッセージを、制御チャネルを使用することによって、受信するように、例えば、制御チャネルを使用することによって、ページングメッセージを受信するように、または送信パラメータの各グループのうちの制御チャネルインジケーションが、ネガティブであるとき、基地局によって送信された共通メッセージを、制御チャネルを使用せずに、受信するように、例えば、制御チャネルを使用せずに、ページングメッセージを受信するように構成される。
【０１１３】
受信ユニット７０２は、送信パラメータの各グループが、共通メッセージを送信するために使用される狭帯域の量を含むとき、要件に従って、１つまたは複数の狭帯域上において共通メッセージを受信するように構成される。例えば、ＭＴＣデバイス識別子、セルＩＤ、ページング時点、または共通メッセージのための狭帯域の量のうちの１つまたは複数のパラメータに従って、受信ユニット７０２は、１つまたは複数の異なる狭帯域上において、ＭＴＣデバイスのためのページングメッセージを受信する。例えば、基地局は、パラメータに従って、狭帯域を決定し、基地局によって決定された狭帯域上において、特定のＭＴＣデバイスに固有のページングメッセージおよび／またはＲＡＲメッセージを送信することがある。受信ユニット７０２も、同じ処理に従って、狭帯域を決定し、決定された狭帯域上において、ＭＴＣデバイスに固有のページングメッセージおよび／またはＲＡＲメッセージを受信することがある。
【０１１４】
受信ユニット７０２は、送信パラメータの各グループが、共通メッセージを送信するために使用される狭帯域のロケーションを含むとき、要件に従って、１つまたは複数の狭帯域上において共通メッセージを受信するように構成される。例えば、ＭＴＣデバイス識別子、セルＩＤ、またはページング時点のうちの１つまたは複数のパラメータに従って、受信ユニット７０２は、ページングメッセージを受信するためのＭＴＣデバイスの１つまたは複数の狭帯域を決定し、受信ユニット７０２によって決定された狭帯域上において、ＭＴＣデバイスのためのページングメッセージを受信する。例えば、基地局は、パラメータに従って、狭帯域を決定し、基地局によって決定された狭帯域上において、特定のＭＴＣデバイスに固有のページングメッセージおよび／またはＲＡＲメッセージを送信することがある。受信ユニット７０２も、同じ処理に従って、狭帯域を決定し、決定された狭帯域上において、ＭＴＣデバイスに固有のページングメッセージおよび／またはＲＡＲメッセージを受信することがある。
【０１１５】
受信ユニット７０２は、送信パラメータの各グループが、共通メッセージを送信するための最大トランスポートブロックサイズを含むとき、受信された共通メッセージのトランスポートブロックサイズが、最大トランスポートブロックサイズを超えないことを保証するように構成される。例えば、受信ユニット７０２は、ＭＴＣデバイス自体のページング時点において、ページング時点に対応する最大トランスポートブロックサイズを使用することによって、ページングメッセージを受信することがある。
【０１１６】
特に、送信パラメータのうちの最大トランスポートブロックサイズは、共通メッセージ内に含まれることができるＭＴＣデバイス識別子の最大量を含む。
【０１１７】
任意選択で、実施形態においては、決定ユニット７０１は、第１の送信構成が、基地局によって送信され、受信ユニット７０２によって受信された第１の送信構成であると決定するように構成される。
【０１１８】
当業者は、本明細書において開示された実施形態において説明された例と組み合わせて、ユニットおよびアルゴリズムステップが、電子的ハードウェア、またはコンピュータソフトウェアおよび電子的ハードウェアの組み合わせによって実施されることがあることを知ることがある。機能が、ハードウェアによって実行されるか、それともソフトウェアによって実行されるかは、特定のアプリケーション、および技術的ソリューションの設計制約条件に依存する。当業者は、異なる方法を使用して、各特定のアプリケーションについての説明された機能を実施することがあるが、その実施が本発明の範囲を超えると見なされるべきではない。
【０１１９】
便利で簡潔な説明のために、上述のシステム、装置、およびユニットの詳細な動作処理については、上述の方法の実施形態における対応する処理を参照されたく、詳細は、ここで再び説明されないことが、当業者によって明瞭に理解されることがある。
【０１２０】
本出願において提供されるいくつかの実施形態においては、開示されるシステム、装置、および方法は、他の方式で実施されることがあることが、理解されるべきである。例えば、説明される装置の実施形態は、例であるにすぎない。例えば、ユニット分割は、論理機能分割であるにすぎず、実際の実施においては、他の分割であることがある。例えば、複数のユニットまたはコンポーネントは、別のシステムに組み合わされて、もしくは統合されることがあり、またはいくつかの特徴は、無視されることがあり、もしくは実行されないことがある。加えて、表示または説明された相互結合もしくは直接的結合、または通信接続は、いくつかのインターフェースを使用することによって実施されることがある。装置またはユニット間における間接的結合または通信接続は、電子的、機械的、または他の形態で実施されることがある。
【０１２１】
別個の部分として説明されたユニットは、物理的に別個であることがあり、または別個でないことがあり、ユニットとして表示された部分は、物理的なユニットであることがあり、もしくは物理的なユニットでないことがあり、１つの位置に配置されることがあり、または複数のネットワークユニット上に分散されることがある。ユニットのいくつかまたはすべては、実施形態のソリューションの目的を達成するために、実際の要件に従って、選択されることがある。
【０１２２】
加えて、本発明の実施形態における機能ユニットは、１つの処理ユニットに統合されることがあり、またはユニットの各々は、物理的に単独で存在することがあり、もしくは２つ以上のユニットは、１つのユニットに統合される。
【０１２３】
機能が、ソフトウェア機能ユニットの形態で実施され、独立の製品として販売または使用されるとき、機能は、コンピュータ可読記憶媒体内に記憶されることがある。そのような理解に基づいて、本発明の技術的解決策は、基本的に、または先行技術に寄与する部分がソフトウェア製品の形態で実施されることがあり、もしくは技術的解決策の一部は、ソフトウェア製品の形態で実施されることがある。ソフトウェア製品は、記憶媒体内に記憶され、本発明の実施形態において説明された方法のステップのすべてまたはいくつかを実行するために、（パーソナルコンピュータ、サーバ、もしくはネットワークデバイスであることがある）コンピュータデバイス、またはプロセッサ（ｐｒｏｃｅｓｓｏｒ）に命令するための、いくつかの命令を含む。上述の記憶媒体は、ＵＳＢフラッシュドライブ、リムーバブルハードディスク、読取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなど、プログラムコードを記憶することができる任意の媒体を含む。
【０１２４】
上述の説明は、本発明の特定の実施形態であるにすぎず、本発明の保護範囲を限定することは意図されていない。本発明において開示された技術的範囲内にある、当業者によって容易に思いつかれるいずれの変形または置換も、本発明の保護範囲内に包含されるものとする。したがって、本発明の保護範囲は、特許請求の範囲の保護範囲に従うものとする。
【図１】
0006707094.tif 000002
【図２】
0006707094.tif 000003
【図３】
0006707094.tif 000004
【図４】
0006707094.tif 000005
【図５】
0006707094.tif 000006
【図６】
0006707094.tif 000007
【図７】
0006707094.tif 000008